(57)【要約】【課題】ケーブルやドライバーが隣の端子台と干渉するのを防止するとともに、モジュールを小形化させ、かつケーブルの取付を容易に確実に行う。【解決手段】複数のモジュール１を並設し、各モジュール１にはケーブル５を取り付けるための端子台３を設け、端子台３にはナット４をモジュール１の前面に対して垂直に埋設するとともに、端子台３の前面をモジュール１の前面に対して斜めに形成し、この斜めの部分３ａにケーブル５の端部の圧着端子６をナット４に対して螺合される取付ねじ８とばね座金１０を介して取り付け、ばね座金１０は平面部１０ａとその周囲の折曲部１０ｂとから形成し、平面部１０ａは取付ねじ８の頭部８ａと平行に当接させるとともに、折曲部１０ｂは斜めの圧着端子６と均等に当接するように長さを異ならせて形成する。【選択図】図１
2008097945.tif 000002
【特許請求の範囲】
【請求項１】
複数のモジュールを並設したプログラマブルロジックコントローラにおいて、各モジュールには外部機器と接続するためのケーブルを取り付けるための端子台が設けられ、端子台にはナットをモジュール前面に対して垂直に埋設するとともに、端子台の前面をモジュール前面に対して斜めに形成し、この斜めの部分にケーブルの端部の圧着端子を上記ナットに対して螺合される取付ねじと座金とを介して取り付け、座金は平面部とその周囲の折曲部とから形成し、平面部は取付ねじの頭部と平行に当接させるとともに、折曲部は斜めの圧着端子と均等に当接するように長さを異ならせて形成したことを特徴とするプログラマブルロジックコントローラ。
【発明の詳細な説明】
【技術分野】
【０００１】
この発明は、プログラマブルロジックコントローラに関し、特に複数並設されたモジュールの端子台に関するものである。
【背景技術】
【０００２】
プログラマブルロジックコントローラにおいては、様々な機能を持ったモジュールを組み合わせて、システムを構成している。これらのモジュールは、共通のベースに実装され、システムバスを介して情報のやり取りを行っている。モジュールには、電源モジュール、ＣＰＵモジュール、機能モジュール（通信モジュール等）、ＩＯモジュール等がある。図２はプログラマブルロジックコントローラの斜視図を示し、ＩＯモジュール１が複数並設されている。ＩＯモジュール１は、外部機器との信号のやり取りがあるため、端子部２を設けて、ケーブルを接続しており、端子部２には複数段の端子台３が階段状に設けられ、数十本のケーブルが接続される。このケーブルの引き出しには端子台３の種類によりモジュールの前面と平行に引き出すものと垂直に引き出すものとがある。
【０００３】
なお、この出願の発明に関連する先行技術文献情報としては、次のものがある。
【特許文献１】特開平５−７３１１４号公報
【特許文献２】特開２００１−１５１８９号公報
【特許文献３】特開２００２−２４６０８０号公報
【発明の開示】
【発明が解決しようとする課題】
【０００４】
図３（ａ）〜（ｃ）はケーブルをモジュール１の前面に対して平行に引き出す場合のプログラマブルロジックコントローラの平面図、正面図及びモジュールの端子部の拡大横断平面図を示し、プログラマブルロジックコントローラには複数のＩＯモジュール１が並設され、ＩＯモジュール１には前方に突出して端子部２が設けられ、端子部２には複数段の端子台３が階段状に設けられている。端子台３の前面はモジュール１の前面に対して平行に設けられるとともに、端子台３にはナット４がモジュール１の前面に対して垂直に埋設される。そして、外部機器と接続するためのケーブル５の端部に設けられた圧着端子６がばね座金７及び圧着端子６を挿通した取付ねじ８をドライバー９を用いてナット４に螺合することにより端子台３に取り付けられる。しかしながら、この場合、取付ねじ８を端子台３の正面から締め付けることになるため、ケーブル５はモジュール１の前面に対して平行に引き出されることになり、ケーブル５の本数が増えると、ケーブル５が隣のモジュール１の端子部２の端子台３と干渉するという課題があった。
【０００５】
又、図４（ａ）〜（ｃ）はケーブル５をモジュール１の前面に対して垂直に引き出す場合のプログラマブルロジックコントローラの平面図、正面図及びモジュールの端子部の拡大横断平面図を示し、複数のＩＯモジュール１が並設され、ＩＯモジュール１には前方に突出して端子部２が設けられ、端子部２には複数段の端子台３が階段状に設けられている。端子台３の前面はモジュール１の前面に対して垂直に設けられるとともに、端子台３にはナット４がモジュール１の前面に対して平行に埋設される。そして、外部機器と接続するためのケーブル５の端部に設けられた圧着端子６がばね座金７及び圧着端子６を挿通した取付ねじ８をドライバー９を用いてナット４に螺合することにより端子台３に取り付けられる。しかしながら、この場合、取付ねじ８を端子台３の側面から締め付けることになるため、ドライバー９が隣のモジュール１の端子部２の端子台３とぶつかるため、端子部２をモジュール１から取り外す必要があった。
【０００６】
さらに、図５（ａ）〜（ｃ）はケーブル５をモジュール１の前面に対して斜めに引き出す場合のプログラマブルロジックコントローラの平面図、正面図及びモジュールの端子部の拡大横断平面図を示し、複数のＩＯモジュール１が並設され、ＩＯモジュール１には前方に突出して端子部２が設けられ、端子部２には複数段の端子台３が階段状に設けられている。端子台３の前面はモジュール１の前面に対して斜めに設けられるとともに、端子台３にはナット４がモジュール１の前面に対して斜めに埋設される。そして、外部機器と接続するためのケーブル５の端部に設けられた圧着端子６がばね座金７及び圧着端子６を挿通した取付ねじ８をドライバー９を用いてナット４に螺合することにより端子台３に取り付けられる。この場合、ケーブル５の引き出しが隣のモジュール１の端子台３と干渉することはなくなるが、取付ねじ８の締付がモジュール１の前面に対して斜めになるため、端子台３ではナット４を斜めに埋設する必要があり、端子台３の幅、即ち端子部２の幅Ｌ１が広くなってしまい、モジュール１の幅も広くなるという課題が生じた。又、端子部２に端子台３が複数段設けられている場合には、ドライバー９が隣の端子台３と干渉して締付ねじ８の締付ができなくなることがあった。
【０００７】
この発明は上記のような課題を解決するために成されたものであり、引き出されたケーブル及びケーブルを端子台に取り付ける取付ねじを締め付けるドライバーが隣の端子台と干渉するのを防止することができるとともに、モジュールの幅が広くなるのを防止することができ、かつケーブルの取付を容易かつ確実に行うことができるプログラマブルロジックコントローラを得ることを目的とする。
【課題を解決するための手段】
【０００８】
この発明の請求項１に係るプログラマブルロジックコントローラは、複数のモジュールを並設したプログラマブルロジックコントローラにおいて、各モジュールには外部機器と接続するためのケーブルを取り付けるための端子台が設けられ、端子台にはナットをモジュール前面に対して垂直に埋設するとともに、端子台の前面をモジュール前面に対して斜めに形成し、この斜めの部分にケーブルの端部の圧着端子を上記ナットに対して螺合される取付ねじと座金とを介して取り付け、座金は平面部とその周囲の折曲部とから形成し、平面部は取付ねじの頭部と平行に当接させるとともに、折曲部は斜めの圧着端子と均等に当接するように長さを異ならせて形成したものである。
【発明の効果】
【０００９】
以上のようにこの発明の請求項１によれば、モジュールの端子台の前面をモジュールの前面に対して斜めに形成するとともに、ナットをモジュールの前面に対して垂直に埋設し、この斜めの部分にナットに螺合した取付ねじと座金を介して
ケーブルの端部の圧着端子を取り付けており、取付ねじの締付は端子台の正面から行うことができ、ケーブルの引き出しも斜めになるので、ケーブルやドライバーが隣の端子台と干渉することがなくなる。又、ナットがモジュールの前面に対して垂直に埋設されているので、端子台の幅が小さくなり、モジュールの幅も小さくなる。さらに、座金は平面部とその周囲の折曲部とから形成し、平面部は取付ねじの頭部と平行に当接させるとともに、折曲部は斜めの圧着端子と均等に当接するように長さを異ならせており、圧着端子の取付を容易にかつ確実に行うことができる。
【発明を実施するための最良の形態】
【００１０】
以下、この発明を実施するための最良の形態を図面とともに説明する。図１（ａ）〜（ｃ）はこの発明の実施最良形態によるプログラマブルロジックコントローラの平面図、正面図及びモジュールの端子部の拡大横断平面図である。プログラマブルロジックコントローラは、複数のＩＯモジュール１が並設され、ＩＯモジュール１には前方に突出して端子部２が設けられ、端子部２には複数の端子台３が階段状に設けられ、各端子台３には外部機器と接続するためのケーブルを取り付ける。各端子台３にはナット４をモジュール１の前面に対して垂直に埋設するとともに、端子台３の前面をモジュール１の前面に対して斜めに形成し、この斜めの部分３ａにケーブル５の端部に設けられた圧着端子６をばね座金１０及び圧着端子６を挿通した取付ねじ８をナット４に螺合することにより、取り付ける。ばね座金１０は平面部１０ａとその周囲の折曲部１０ｂとから形成し、平面部１０ａは取付ねじ８の頭部８ａと平行に当接させ、折曲部１０ｂは斜めの圧着端子６と均等に当接するように長さを異ならせている。
【００１１】
上記した実施最良形態においては、モジュール１の端子台３においては、ナット４がモジュール１の前面に対して垂直に埋設されているので、端子台３の幅Ｌ２が小さくなり、モジュール１の幅も小さくなる。又、端子台３の前面をモジュール１の前面に対して斜めに形成し、この斜めの部分３ａにケーブル５の圧着端子６をナット４に螺合した取付ねじ８及びばね座金１０を介して取り付けており、ドライバー９による取付ねじ８の締付は端子台３の正面から行うことができ、ケーブル５の引き出しも斜めに行うことができるので、ケーブル５やドライバー９が隣の端子台３と干渉することはなくなる。さらに、ばね座金１０は平面部１０ａとその周囲の折曲部１０ｂとから形成し、平面部１０ａは取付ねじ８の頭部８ａと平行に当接させるとともに、折曲部１０ｂは斜めの圧着端子６と均等に当接するように長さを異ならせており、圧着端子６の取付を容易にかつ確実に行うことができる。
【図面の簡単な説明】
【００１２】
【図１】この発明の実施最良形態によるプログラマブルロジックコントローラの平面図、正面図及びモジュールの端子部の拡大横断平面図である。
【図２】従来のプログラマブルロジックコントローラの斜視図である。
【図３】ケーブルをモジュールの前面に対して平行に引き出す場合の従来のプログラマブルロジックコントローラの平面図、正面図、及びモジュールの端子部の拡大横断平面図である。
【図４】ケーブルをモジュールの前面に対して垂直に引き出す場合の従来のプログラマブルロジックコントローラの平面図、正面図、及びモジュールの端子部の拡大横断平面図である。
【図５】ケーブルをモジュールの前面に対して斜めに引き出す場合の従来のプログラマブルロジックコントローラの平面図、正面図、及びモジュールの端子部の拡大横断平面図である。
【符号の説明】
【００１３】
１…ＩＯモジュール
２…端子部
３…端子台
３ａ…斜めの部分
４…ナット
５…ケーブル
６…圧着端子
８…取付ねじ
８ａ…頭部
９…ドライバー
１０…ばね座金
１０ａ…平面部
１０ｂ…折曲部
【図１】
2008097945.tif 000003
【図２】
2008097945.tif 000004
【図３】
2008097945.tif 000005
【図４】
2008097945.tif 000006
【図５】
2008097945.tif 000007